(57)【要約】  電子価格、在庫管理およびラベルシステムのための方法および電子価格、在庫管理およびラベルシステムであって、このシステムは、電子価格ラベルシステムと、商品をリストアップしている商品データベースとを含んでいる。電子価格、在庫管理およびラベルシステムは、商品データベース内にリストアップされている商品（１）の少なくとも第１状態と第２状態とを有している。商品データベース内では特定商品（１）は特定電子価格ラベル（３）にリンクされている。本発明の方法は、電子価格ラベル（３）及び／又は電子価格ラベル（３）にリンクされている商品（１）の状態に関するクエリリクエストを受領し、受領したクエリリクエストの応答として、第１状態にある商品（１）に関する情報および第２状態にある商品（１）に関する情報を送り出す。
2018523199.tif 000002
【特許請求の範囲】
【請求項１】
電子価格、在庫管理およびラベルシステムのための方法であって、
該電子価格、在庫管理およびラベルシステムは、電子価格ラベルシステムと、商品をリストアップしている商品データベースとを含んでおり、
前記電子価格、在庫管理およびラベルシステムは、前記商品データベース内にリストアップされている商品の少なくとも第１状態と第２状態とを有しており、
前記商品データベース内では特定商品は特定電子価格ラベルにリンクされており、
本方法は、
前記電子価格ラベル及び／又は該電子価格ラベルにリンクされている商品の状態に関するクエリリクエストを受領するステップと、
受領した前記クエリリクエストの応答として、前記第１状態にある商品に関する情報および前記第２状態にある商品に関する情報を送り出すステップと、
を含んでいることを特徴とする方法。
【請求項２】
前記第１状態においては、商品にリンクされている前記電子価格ラベルは無効状態にあり、
前記第２状態においては、商品にリンクされている前記電子価格ラベルは有効状態にあり、該電子価格ラベルは無線による通信を介して遠隔的に更新できることを特徴とする請求項１記載の方法。
【請求項３】
前記電子価格ラベルの状態が前記第１状態から前記第２状態に変えられると、該電子価格ラベルは有効状態にされ、無線による通信を介して遠隔的に更新できることを特徴とする請求項１または２記載の方法。
【請求項４】
前記第１状態にある商品に関する情報は、前記商品データベースに保存されている情報に基づいており、及び／又は、前記第２状態にある商品に関する情報は、前記電子価格ラベルから無線通信を介してクエリされた電子価格ラベルの状態に基づいていることを特徴とする請求項１から３のいずれかに記載の方法。
【請求項５】
商品が店舗内に存在しないときに前記第１状態が使用され、商品が店舗内に存在するとき前記第２状態が使用されることを特徴とする請求項１から４のいずれかに記載の方法。
【請求項６】
前記電子価格、在庫管理およびラベルシステムは商品に関する統計情報を提供し、その情報には、商品が店舗内に滞在した期間、最も短い回転期間を有する商品のリスト、警告に関する統計情報、廃棄の度合いに関する統計情報、商品が最もよく売れる店舗内の場所に関する統計情報、場所に基づく最も短い販売期間、及び／又はタイプおよびサイズあたりに販売された商品数、異なる商品の回転期間、全ての異なるサイズの販売期間、全ての異なる色彩の販売期間、等々の異なる基準に基づく商品の比較、等が含まれていることを特徴とする請求項１から５のいずれかに記載の方法。
【請求項７】
前記電子価格、在庫管理およびラベルシステムは、商品が店舗内に設定期限を超えて存在した場合、価格修正の提案を提供することを特徴とする請求項１から６のいずれかに記載の方法。
【請求項８】
前記電子価格、在庫管理およびラベルシステムは、前記第２状態にある商品は存在し、例えば、前記第１状態にある商品が店舗内には存在せずに、例えば倉庫内には存在するなら、警告または通知を提供することを特徴とする請求項１から７のいずれかに記載の方法。
【請求項９】
電子価格、在庫管理およびラベルシステムであって、本電子価格、在庫管理およびラベルシステムは、電子価格ラベルシステムと、商品をリストアップしている商品データベースとを含んでおり、
本電子価格、在庫管理およびラベルシステムは、前記商品データベース内にリストアップされている商品の少なくとも第１状態と第２状態とを有するように構成されており、前記商品データベース内では特定商品は特定電子価格ラベルにリンクされており、
本電子価格、在庫管理およびラベルシステムは、前記電子価格ラベルの状態、及び／又は該電子価格ラベルにリンクされている商品の状態に関するクエリリクエストを受領するように構成されており、
受領した前記クエリリクエストの応答として、本電子価格、在庫管理およびラベルシステムは、前記第１状態にある商品に関する情報および前記第２状態にある商品に関する情報を送り出すように構成されている、ことを特徴とするシステム。
【請求項１０】
前記第１状態においては商品にリンクされている前記電子価格ラベルは無効状態にあり、
前記第２状態においては商品にリンクされている前記電子価格ラベルは有効状態にあり、該電子価格ラベルは無線による通信を介して遠隔的に更新できることを特徴とする請求項９記載の電子価格、在庫管理およびラベルシステム。
【請求項１１】
前記電子価格ラベルの状態が前記第１状態から前記第２状態に変えられると、該電子価格ラベルは有効状態にされ、本電子価格、在庫管理およびラベルシステムは、無線による通信を介して遠隔的に更新できる状態へと該電子ラベルを有効にするように構成されていることを特徴とする請求項９または１０記載の電子価格、在庫管理およびラベルシステム。
【請求項１２】
本電子価格、在庫管理およびラベルシステムは、前記商品データベースに保存されている情報に基づいて前記第１状態にある商品に関する情報を提供し、及び／又は、前記電子価格ラベルから無線通信を介してクエリされた電子価格ラベルの状態に基づいて前記第２状態にある商品に関する情報を提供するように構成されていることを特徴とする請求項９から１１のいずれかに記載の電子価格、在庫管理およびラベルシステム。
【請求項１３】
本電子価格、在庫管理およびラベルシステムは、商品が店舗内に存在しないときに前記第１状態を使用し、商品が店舗内に存在するときに前記第２状態を使用するように構成されていることを特徴とする請求項９から１２のいずれかに記載の電子価格、在庫管理およびラベルシステム。
【請求項１４】
本電子価格、在庫管理およびラベルシステムは商品に関する統計情報を提供するように構成されており、その情報には、商品が店舗内に滞在した期間、最も短い回転期間を有する商品のリスト、警告に関する統計情報、廃棄の度合いに関する統計情報、商品が最もよく売れる店舗内の場所に関する統計情報、場所に基づく最も短い販売期間、及び／又はタイプおよびサイズあたりに販売された商品数、異なる商品の回転期間、全ての異なるサイズの販売期間、全ての異なる色彩の販売期間、等々の異なる基準に基づく商品の比較、等が含まれていることを特徴とする請求項９から１３のいずれかに記載の電子価格、在庫管理およびラベルシステム。
【請求項１５】
本電子価格、在庫管理およびラベルシステムは、商品が店舗内に設定期限を超えて存在した場合、価格修正の提案を提供するように構成されていることを特徴とする請求項９から１４のいずれかに記載の電子価格、在庫管理およびラベルシステム。
【請求項１６】
本電子価格、在庫管理およびラベルシステムは、前記第２状態にある商品は存在し、例えば、前記第１状態にある商品が店舗内には存在せずに、例えば倉庫内には存在する場合、警告または通知を提供するように構成されていることを特徴とする請求項９から１５のいずれかに記載の電子価格、在庫管理およびラベルシステム。
【請求項１７】
前記電子価格ラベルシステムが、ベースステーションコントローラ、少なくとも１つのベースステーション、および複数の電子価格ラベルを含んでいることを特徴とする請求項９から１６のいずれかに記載の電子価格、在庫管理およびラベルシステム。
【発明の詳細な説明】
【技術分野】
【０００１】
本発明は電子価格、在庫管理およびラベルシステムに関する。
【背景技術】
【０００２】
一般に、店舗の値札の価格情報は商品の価格が変えられると常に人手によって書き換えられる。新価格は紙上あるいはそれに相当する材料上に印刷され、それら新価格が記載された値札が人手によって売り場の商品に取り付けられる。よって従業員はまず対象の商品と更新される値札を見つけ出し、その後に新値札をその場所に挿入しなければならない。このアレンジの欠点はとりわけ、このアレンジが非常に面倒で、間違いを犯すリスクが高いことである。間違いがあった場合には、例えば、商品の値札の価格情報が現金登録システムの価格情報と整合しないという状況が発生するであろう。
【０００３】
上述の欠点を回避するために電子システムが開発され、電子ラベルと、それらの電子ディスプレーが商品に取り付けられ、商品の価格情報がシステムのコントロールセンター等から集約的に変更できる。これで価格情報の最新化が可能になり、大幅に促進されるであろう。
【０００４】
また、ポイントオブセール（ＰＯＳ）システム（販売時点情報管理方式）が小売環境で利用されている。従来のＰＯＳシステムは様々な小売り状態で利用され、特定の要求に合わせて設計されているハードウェアとソフトウェアで活用されている。小売店は、重量秤、スキャナー、電子現金登録機および手動現金登録機、ＥＦＴＰＯＳ端末、タッチスクリーンおよび様々な他の利用可能なハードウェアとソフトウェアを利用することができる。ＰＯＳソフトウェアは、在庫管理、ＣＲＭ、経理、倉庫管理、等々の異なる機能に応える追加の特徴も含むことができる。
【０００５】
小売り環境で在庫品目または在庫品コントロールシステムを使用することも知られている。在庫品コントロールシステムの典型的な特徴には、例えば、商品が店舗の棚に正しい品数で存在し、客が商品をいつ購入したかを認識し、在庫室から棚にいつ追加の商品を置くべきか信号し、適切なタイミングで主倉庫から在庫品を追加注文し、店舗と本店の双方で利用が可能な管理情報報告を作成することを確実に実行することが含まれる。
【０００６】
上述の従来技術システムでは商品およびそれらの現状の詳細な情報、例えば、どの商品が店舗に存在し、どの商品が店舗外、例えば倉庫に存在するかに関する詳細な情報を提供することができない。
【発明の概要】
【発明が解決しようとする課題】
【０００７】
本発明の１目的は上述の問題点を緩和し、同時に電子価格、在庫管理およびラベルシステムのためのアレンジメント（装置／設備）を提供することである。
【課題を解決するための手段】
【０００８】
本発明の方法は請求項１に提供されており、本発明のラベルシステムは請求項９に提供されている。本発明の他の実施態様はその他の請求項に記載されているもので特徴づけられている。
【０００９】
本発明の概念は電子価格、在庫管理およびラベルシステムを提供することであり、この電子価格、在庫管理およびラベルシステムは、電子価格ラベルシステムと、商品がリストアップされている商品データベースとを含んでいる。この電子価格、在庫管理およびラベルシステムは、この商品データベースにリストアップされている商品のための少なくとも第１状態と第２状態とを有している。特定の商品は商品データベース内の特定の電子価格ラベルにリンクされている。このシステムは電子価格ラベル及び／又は電子価格ラベルにリンクされている商品の状態に関するクエリ（検索）リクエストを受け取ることができ、受け取ったクエリの応答としてこのシステムは第１状態にある商品に関する情報と第２状態にある商品に関する情報とを送り出すことができる。
【００１０】
本発明の１実施態様において、第１状態では商品にリンクされた電子価格ラベルは無効状態にあり、第２状態では商品にリンクされた電子価格ラベルは有効状態にあり、この電子価格ラベルは無線による通信によって遠隔的に更新できる。
【００１１】
本発明の１実施態様において、電子価格ラベルの状態が第１状態から第２状態に変えられると、電子価格ラベルは無線による通信を介して遠隔的に更新できる状態に活性化される。
【００１２】
本発明の１実施態様において、第１状態にある商品に関する情報は商品データベースに保存されている情報に基づいており、及び／又は第２状態にある商品に関する情報は、電子価格ラベルからの無線通信を介してクエリされた電子価格ラベルのリアルタイム状態に基づいている。
【００１３】
本発明の１実施態様において、商品が店舗に不在であるときには第１状態が活用され、商品が店舗に存在するときには第２状態が活用される。
【００１４】
本発明の解決策によれば、商品とそれらの状態、例えば、どの商品が店舗内に存在し、どの商品が店舗外、例えば、倉庫に存在するかに関する詳細な情報、並びに、商品に関するその他の統計的情報を提供できるシステムを有することが可能である。
【００１５】
本発明システムの１実施態様は、店舗内での商品の存在期間、最短の回転期間を有する商品のリスト、投棄レベルに関わる警告に関する統計資料、店舗内のどこで商品が最も売れるかの統計資料、すなわち店舗内位置に基づく最短の販売までの期間の統計、及び／又は異なる基準、例えば、タイプ別およびサイズ別の販売商品数、異なる商品の回転期間、全ての異なるサイズの販売に要する期間および全て異なる色の販売に要する期間に基づく商品比較、等々の商品に関する統計情報を提供する。
【００１６】
以下において本発明は添付図面を利用した実施例の手段によってさらに詳細に説明されている。
【図面の簡単な説明】
【００１７】
【図１】電子価格、在庫管理およびラベルシステムの１実施例を示す。
【図２】店舗あるいは相当販売域における電子ラベルシスの１実施例によるアレンジメントの概略図である。
【発明を実施するための形態】
【００１８】
図１は、電子価格、在庫管理およびラベルシステムの１実施例を図示する。このシステムは電子価格ラベルシステムと、商品をリストアップした商品データベース（図１では非図示）とを含んでいる。この電子価格、在庫管理およびラベルシステムは、ポイントオブセール（ＰＯＳ）システムも含むことができ、あるいはＰＯＳシステムと接続することができる。
【００１９】
ＰＯＳシステムは店舗の価格、在庫品、秤データ、現金登録機データまたはその他類似の販売または商品関連データを管理するのに活用される。ユーザ装置はインターフェースを介して店舗のＰＯＳシステムと通信できる。ＰＯＳシステムはインターフェースを介して現金登録機、秤および電子価格ラベルシステムと接続できる。インターフェースを介してＰＯＳシステムは、例えば、現金登録機や秤の情報を更新でき、または現金登録機または秤による販売のごとき活動の情報を収集できる。
【００２０】
ＰＯＳシステムに接続された電子価格ラベルシステムは価格を変化させて客に提示するように活用できる。この電子価格ラベルシステムは電子価格ラベルシステムのベースステーションコントローラと、１以上のベースステーションと、１以上の電子価格ラベルとを含んでいる。この電子価格ラベルシステムのベースステーションは店舗内に設置され、典型的には有線式に、例えば、イーサネット（登録商標）接続を介してそのベースステーションコントローラに接続されている。このベースステーションコントローラはさらに、価格と、その他の商品情報とを含んだ店舗レベルのサーバに接続されている。
【００２１】
特定の商品は、このシステムの商品データベース内で特定の電子価格ラベルにリンクされている。この電子価格、在庫管理およびラベルシステムは商品データベースにリストアップされている商品のために少なくとも第１状態と第２状態とを有している。これら状態は、例えばオフライン状態とオンライン状態であってよい。
【００２２】
第１状態、例えばオフライン状態にある商品は、その電子価格ラベルがデータベースレベルの商品とリンクされている商品であるが、これら電子価格ラベルは、この電子価格ラベルシステムのベースステーションによってまだ更新されるように活性化されてはいない。電子価格ラベルへの商品の接続またはリンクは商品データベースに保存される。オフライン状態にある商品は、例えば、店舗、倉庫、配送センターまたは工場に存在する。オフライン状態にある商品の数は商品データベースからの情報に基づいてクエリ（問い合わせ）できる。
【００２３】
第２状態、例えばオンライン状態にある商品は、その電子価格ラベルシステムのデータベースで更新できる活性（有効）電子価格ラベルを有する商品である。これら活性値ラベル（有効ラベル）を備えたこれら商品の数は、この電子価格ラベルシステムを介してリアルタイム及び／又は定期的にクエリ（問い合わせ）できる。
【００２４】
ユーザ装置または外部システムが特定の１商品または複数の商品に関する情報の受領を希望したとき、そのユーザ装置または外部システムは、その電子価格ラベル及び／又はその電子価格ラベルにリンクされた商品に関する情報をリクエストする。この電子価格、在庫管理およびラベルシステムは、その電子価格ラベル及び／又はその電子価格ラベルにリンクされた商品の状態に関するクエリリクエストを受領し、その応答として第１状態にある商品に関する情報と、受領したクエリリクエストの応答として第２状態にある商品に関する情報を送り出す。この電子価格、在庫管理およびラベルシステムは、商品に関連する統計、商品に関連する電子ラベル及び／又はその他の統計情報のごとき任意の他の情報などの他の情報を送り出すこともできる。
【００２５】
この電子価格、在庫管理およびラベルシステムは、自動的に、例えば定期的に、例えば毎夜、店舗内の全ての商品の在庫に関するクエリ（問い合わせ）を実行するようにスケジュール化できる。このようにして、店舗及び／又は倉庫の全ての商品の毎日の信頼できる在庫情報が入手できる。この情報は、在庫が人手によって年に１回〜２回チェックされる従来システムよりもよりも信頼性が大幅に向上している。
【００２６】
この電子価格ラベルは、商品の製造段階、輸送段階または保存段階で商品にリンクされ、あるいは対状態にされることができる。工場から配送センターまでの、あるいは配送センターから倉庫までの、または倉庫から店舗までの商品の輸送または商品の到着は、電子価格ラベルの状態を第１状態から第２状態へと変えることで確認が可能になる。状態が第１状態から第２状態に変わると電子価格ラベルは活性化でき、電子価格ラベルシステムは始動でき、無線によるクエリによって電子価格ラベルの存在がチェックできる。このクエリの結果として、活性化された電子価格ラベルによる商品の状態および数量を知ることができる。この情報は、例えば、正しい数の特定の商品が受領されたか否かを知るために商品データベースと照合できる。
【００２７】
第１状態と第２状態、例えば、オンライン状態／オフライン状態で、最近更新された報告、及び／又はリアルタイムの報告から店舗内に商品（第１状態の商品）が存在するか否かが迅速にチェックでき、あるいは店舗内に特定の商品が存在しない場合、倉庫にそれらの種類の商品（第２状態の商品）が存在するか否かが迅速にチェックできる。
【００２８】
この電子価格、在庫管理およびラベルシステムは、店舗の商品（第２状態、例えば、オンライン状態の商品）の数量、及び／又は種類を報告することができ、店舗内の商品数が少なければ、その商品（第１状態、例えばオフライン状態の商品）が倉庫から店舗に持ち込まれることを自動的に推奨することもできる。
【００２９】
電子価格、在庫管理およびラベルシステムは、特定のイベントまたはパターンの認識、例えば、検出された在庫情報を販売情報と照合することで商品の紛失に関するパターンを認識するためにも利用できる。在庫品目は容易に、例えば毎日、及び／又は毎夜チェックできるため、平均よりも多い紛失商品が発生する特定の日が認識できる。この情報を基にして紛失の理由が発見できる。
【００３０】
レギュラーベースおよびオプションで定期的な在庫クエリは特定の商品の販売状態をチェックして報告するために使用できる。商品のモデル、サイズ、及び／又は色彩は本発明の電子価格、在庫管理およびラベルシステムで認知でき、これに基づいて、このシステムは、多量に速く売れる商品のモデル、サイズ、及び／又は色彩、並びに、さほど売れない商品のモデル、サイズ、及び／又は色彩に関する報告を創出できる。
【００３１】
もし商品が店舗内に長期に滞在し、売れ行きが悪ければ、このシステムはその価格を引き下げるように推奨し、あるいはこのシステムは所定の法則に則ってその価格を自動的に引き下げ、例えば、もし商品が店舗に３週間売れ残ったら、その価格を１０％引き下げ、もし製品が店舗内に４週間売れ残ったら、その価格を２０％引き下げる、等々をすることができる。これで従来のシステムでは必要とされていた人手による価格設定の手間が減少する。特定商品の価格が変更されると電子価格ラベルシステムの価格情報は変えられ、この情報はベースステーションを介して個別の電子ラベルに送り届けられる。
【００３２】
この電子価格、在庫管理およびラベルシステムは最も売れ行きが悪い商品のリストを提供でき、それら商品の価格引き下げを推奨できる。その後、店舗またはその従業員がそれら商品のために推奨された価格の引き下げを実行することができる。
【００３３】
本発明の１実施例において、このシステムは、試着室に持ち込まれた商品のモデル、サイズ及び／又は色彩をモニターすることができるセンサーを備えた試着室を含むこともできる。この実施例では、販売済の商品の数と、商品の販売に要した時間が、それら商品の試着に関して収集された情報と照合されることができる。このようにして、このシステムは、所定の商品が客によって試着室で試着されたが、何らかの理由で売れなかったら、その旨を報告することができる。
【００３４】
図２は、店舗内あるいは類似した販売環境における、この電子価格ラベルシステムの典型的な構成を１実施例として概略的に示す。
【００３５】
商品１にはディスプレー（表示装置）２を含んだ電子ラベル３が装着されている。この電子ラベル３は典型的には異なる種類の固定手段によって商品に取り付けられている。ディスプレー２は商品の価格を表示するように設定されており、商品情報は、とりわけ、商品名および可能には商品に関するその他のいくらかの情報を含む。電子価格ラベル３は別に表示マーク、例えば、商品の販売促進情報、レギュラー客のためのその商品及び／又は新商品の販売促進情報のごとき商品関連情報を表示できるカラーマークを含むこともできる。
【００３６】
それぞれの電子ディスプレー２は、ディスプレー構造部及び／又はピクセルを含んで、紙製の値札に類似する薄い値札を含むことができ、そこには必要な商品価格と、その他の必要なシンボルが実質的に２色または多色ディスプレー構造部の色彩を変えることで提供される。
【００３７】
ディスプレーの１層は、例えば活性インク層である。このインク層は、液体で満たされ、例えば、正の表面電荷を有した実質的に黒色の粒子と、負の表面電化を有した実質的に白色の粒子とを含んだ多数の微小カプセルを含んでおり、それら微小カプセル内の位置は電界によってコントロールされ、望むディスプレー構成部においては黒色粒子が最上部であり、そのディスプレー構成部は上方からは黒色に見え、その他のディスプレー構成部においては白色粒子が最上部になり、そのディスプレー構成部は上方からは白色に見える。ディスプレーの黒色背景は同じ微小カプセルで成り、例えば、価格情報は明るい背景に暗い数字で表示できるが、望めばその逆でもよい。使用されるそのようなディスプレーは、例えば、フィンランド国特許願ＦＩ２００５０１９２で開示されている電気泳動微小カプセルディスプレー積層体でよい。
【００３８】
さらに、電子価格ラベルシステムは、ベースステーション４または他の通信手段に接続された少なくとも１つの中央処理装置５を含んでおり、それを介して、例えば、更新された情報および他のコントロール情報をディスプレー２に送ることが可能である。さらに、このシステムは価格をスキャンするために、現金登録機に位置し、現金登録機システムに接続されているスキャナー６を含むことができ、そこでは、それら現金登録機システムと電子ラベルは常に商品の価格に関する同じ最新情報を有する。さらに中央処理装置５は他のコントロールおよびサポートシステムに連結されることができ、例えば、店舗のＰＯＳシステムに接続されることができる。この中央処理装置５と電子ラベル３の間の無線接続は矢印で図示されている。
【００３９】
電子ラベル３は、情報のための、例えば、価格情報のための複数のメモリ場所を有することができる。電子ラベル３は、メモリ場所に保存される複数の異なる画像、すなわち、表示される異なる情報を含んだ異なるページも含むことができる。
【００４０】
電子ラベル３は図２に示すようにベースステーション４と無線式に通信する。この無線通信法は任意の知られる無線通信技術に基づくことができるが、電子ラベル３の電池寿命を延ばすため、パッシブ後方散乱無線通信が好適である。このアプローチにおいて、ベースステーション４は能動的に無線信号を送信し、能動無線送信で回答する代わりに、電子ラベル３は無線通信機を使用せずに、代りに、それらはベースステーションの信号の反射パワー（電力）を変調させることで応答する。この変調は、典型的には、電子ラベル３内のアンテナの負荷状態を変化させることで、例えば、地電位と非地電位との間でアンテナを接続および断絶することによって達成される。この後方散乱信号の変調は電子ラベル３に、ベースステーションに対して応答させ、さらに店舗レベルのサーバに対して応答させる。
【００４１】
それぞれの電子ラベル３は、ベースステーション４からの送信で待ち受けられる当該電子ラベル３が知っている自身の識別コードによって識別できる。ベースステーション４を介して店舗サーバから新情報、指示または命令を受領後、電子ラベル３は、その応答が当該電子ラベルから送られていることを認定するため、店舗レベルのサーバのために適切およびタイムリに変調された反射後方散乱を使用することで、これら指示の受領を認めることができる。電子ラベル３に向けられた送信の後に、その時間中に応答する可能性をそのモジュールに与えるために、店舗サーバは一定の待ち時間を有することができる。
【００４２】
当該技術分野の専門家には明らかであるが、図１と図２に概略的に示すシステムのソフトウェアアプリケーション、通信機能およびその他の機能は、当該アプリケーションの詳細に応じて多様な異なる方法で設計構成できる。図１と図２はここに説明されている本発明の利点の理解を助けるために、１例として高レベルの図解を提供することのみを目的としている。
【００４３】
本発明の代表的な実施例が添付図面を利用して説明されたが、本発明はそれら実施例には限定されず、当該技術の専門家であれば理解しようが、その様々な修正および変更が本発明の精神とスコープから逸脱せずに可能である。
【図１】
2018523199.tif 000003
【図２】
2018523199.tif 000004
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
電子価格、在庫管理およびラベルシステムのための方法であって、
該電子価格、在庫管理およびラベルシステムは、電子価格ラベルシステムと、商品をリストアップしている商品データベースとを含んでおり、
前記電子価格、在庫管理およびラベルシステムは、前記商品データベース内にリストアップされている商品の少なくとも第１状態と第２状態とを有しており、
前記商品データベース内では特定商品は特定電子価格ラベルにリンクされており、
本方法は、
前記電子価格ラベル及び／又は該電子価格ラベルにリンクされている商品の状態に関するクエリリクエストを受領するステップと、
受領した前記クエリリクエストの応答として、前記第１状態にある商品に関する情報および前記第２状態にある商品に関する情報を送り出すステップと、
を含んでおり、
前記第１状態においては、商品にリンクされている前記電子価格ラベルは無効状態にあり、
前記第２状態においては、商品にリンクされている前記電子価格ラベルは有効状態にあり、該電子価格ラベルは無線による通信を介して遠隔的に更新できることを特徴とする方法。
【請求項２】
前記電子価格ラベルの状態が前記第１状態から前記第２状態に変えられると、該電子価格ラベルは有効状態にされ、無線による通信を介して遠隔的に更新できることを特徴とする請求項１記載の方法。
【請求項３】
前記第１状態にある商品に関する情報は、前記商品データベースに保存されている情報に基づいており、及び／又は、前記第２状態にある商品に関する情報は、前記電子価格ラベルから無線通信を介してクエリされた電子価格ラベルの状態に基づいていることを特徴とする請求項１又は２に記載の方法。
【請求項４】
商品が店舗内に存在しないときに前記第１状態が使用され、商品が店舗内に存在するとき前記第２状態が使用されることを特徴とする請求項１から３のいずれかに記載の方法。
【請求項５】
前記電子価格、在庫管理およびラベルシステムは商品に関する統計情報を提供し、その情報には、商品が店舗内に滞在した期間、最も短い回転期間を有する商品のリスト、警告に関する統計情報、廃棄の度合いに関する統計情報、商品が最もよく売れる店舗内の場所に関する統計情報、場所に基づく最も短い販売期間、及び／又はタイプおよびサイズあたりに販売された商品数、異なる商品の回転期間、全ての異なるサイズの販売期間、全ての異なる色彩の販売期間、等々の異なる基準に基づく商品の比較、等が含まれていることを特徴とする請求項１から４のいずれかに記載の方法。
【請求項６】
前記電子価格、在庫管理およびラベルシステムは、商品が店舗内に設定期限を超えて存在した場合、価格修正の提案を提供することを特徴とする請求項１から５のいずれかに記載の方法。
【請求項７】
前記電子価格、在庫管理およびラベルシステムは、前記第２状態にある商品は存在し、例えば、前記第１状態にある商品が店舗内には存在せずに、例えば倉庫内には存在するなら、警告または通知を提供することを特徴とする請求項１から６のいずれかに記載の方法。
【請求項８】
電子価格、在庫管理およびラベルシステムであって、本電子価格、在庫管理およびラベルシステムは、電子価格ラベルシステムと、商品をリストアップしている商品データベースとを含んでおり、
本電子価格、在庫管理およびラベルシステムは、前記商品データベース内にリストアップされている商品の少なくとも第１状態と第２状態とを有するように構成されており、前記商品データベース内では特定商品は特定電子価格ラベルにリンクされており、
本電子価格、在庫管理およびラベルシステムは、前記電子価格ラベルの状態、及び／又は該電子価格ラベルにリンクされている商品の状態に関するクエリリクエストを受領するように構成されており、
受領した前記クエリリクエストの応答として、本電子価格、在庫管理およびラベルシステムは、前記第１状態にある商品に関する情報および前記第２状態にある商品に関する情報を送り出すように構成されており、
前記第１状態においては商品にリンクされている前記電子価格ラベルは無効状態にあり、
前記第２状態においては商品にリンクされている前記電子価格ラベルは有効状態にあり、該電子価格ラベルは無線による通信を介して遠隔的に更新できることを特徴とする電子価格、在庫管理およびラベルシステム。
【請求項９】
前記電子価格ラベルの状態が前記第１状態から前記第２状態に変えられると、該電子価格ラベルは有効状態にされ、本電子価格、在庫管理およびラベルシステムは、無線による通信を介して遠隔的に更新できる状態へと該電子ラベルを有効にするように構成されていることを特徴とする請求項８記載の電子価格、在庫管理およびラベルシステム。
【請求項１０】
本電子価格、在庫管理およびラベルシステムは、前記商品データベースに保存されている情報に基づいて前記第１状態にある商品に関する情報を提供し、及び／又は、前記電子価格ラベルから無線通信を介してクエリされた電子価格ラベルの状態に基づいて前記第２状態にある商品に関する情報を提供するように構成されていることを特徴とする請求項８又は９に記載の電子価格、在庫管理およびラベルシステム。
【請求項１１】
本電子価格、在庫管理およびラベルシステムは、商品が店舗内に存在しないときに前記第１状態を使用し、商品が店舗内に存在するときに前記第２状態を使用するように構成されていることを特徴とする請求項８から１０のいずれかに記載の電子価格、在庫管理およびラベルシステム。
【請求項１２】
本電子価格、在庫管理およびラベルシステムは商品に関する統計情報を提供するように構成されており、その情報には、商品が店舗内に滞在した期間、最も短い回転期間を有する商品のリスト、警告に関する統計情報、廃棄の度合いに関する統計情報、商品が最もよく売れる店舗内の場所に関する統計情報、場所に基づく最も短い販売期間、及び／又はタイプおよびサイズあたりに販売された商品数、異なる商品の回転期間、全ての異なるサイズの販売期間、全ての異なる色彩の販売期間、等々の異なる基準に基づく商品の比較、等が含まれていることを特徴とする請求項８から１１のいずれかに記載の電子価格、在庫管理およびラベルシステム。
【請求項１３】
本電子価格、在庫管理およびラベルシステムは、商品が店舗内に設定期限を超えて存在した場合、価格修正の提案を提供するように構成されていることを特徴とする請求項８から１２のいずれかに記載の電子価格、在庫管理およびラベルシステム。
【請求項１４】
本電子価格、在庫管理およびラベルシステムは、前記第２状態にある商品は存在し、例えば、前記第１状態にある商品が店舗内には存在せずに、例えば倉庫内には存在する場合、警告または通知を提供するように構成されていることを特徴とする請求項８から１３のいずれかに記載の電子価格、在庫管理およびラベルシステム。
【請求項１５】
前記電子価格ラベルシステムが、ベースステーションコントローラ、少なくとも１つのベースステーション、および複数の電子価格ラベルを含んでいることを特徴とする請求項８から１４のいずれかに記載の電子価格、在庫管理およびラベルシステム。
【国際調査報告】
2018523199.tif 000005
2018523199.tif 000006
2018523199.tif 000007
2018523199.tif 000008
2018523199.tif 000009